(57)【要約】【課題】  電子機器の照明構造において、部品点数を増やすことなく構造も簡素化する。【解決手段】  フロントケース３とリアーケース４とを結合することにより筺体２が形成され、フロントケース３を覆っている半透光性のカバー５に半透光性の化粧パネル６が取り付けられている。フロントケース３の正面側に設けられた窓１２ａを覆うように、常夜灯用ＬＥＤ７と非常灯用ＬＥＤ８が実装されたプリント基板９が取り付けられている。フロントケース３には、常夜灯用ＬＥＤ７が臨む反射部１３が一体に突設されている。この反射部１３には、常夜灯用ＬＥＤ７からの光Ｑ１をプリント基板９の実装面９ａに反射する第１反射面１５ａと、第１反射面１５ａと反対方向に光Ｑ２を反射する第２反射面１５ｂが設けられている。また、この反射部１３には、互いの反射部１３に照射される常夜灯用ＬＥＤ７の光Ｑ５を化粧パネル６側に反射する第５反射面１５ｃが設けられている。【選択図】  図２
2010010032.tif 000002
【特許請求の範囲】
【請求項１】
一面に窓が形成された筺体と、この筺体の窓を覆うように取り付けられたプリント基板と、このプリント基板に実装された光源とを備えた電子機器の照明構造において、
前記筺体の窓の周縁に、前記光源から照射される光の照射方向を変える反射部を一体に形成したことを特徴とする電子機器の照明構造。
【請求項２】
前記反射部に、光源から照射される光の照射方向を前記プリント基板を照射する方向に変える第１反射面を設けたことを特徴とする請求項１記載の電子機器の照明構造。
【請求項３】
前記反射部に、光源から照射された光を前記第１反射面から照射された反射光と反対方向に反射する第２反射面を設けたことを特徴とする請求項２記載の電子機器の照明構造。
【請求項４】
前記反射部に、光源から照射された光を前記プリント基板の光源を実装している実装面に沿って拡散させる第３反射面を設けたことを特徴とする請求項１ないし３のいずれか一項記載の電子機器の照明構造。
【請求項５】
前記反射部に、光源から照射された光を前記筺体の外側で前記プリント基板の光源を実装している実装面と同一面方向に拡散させる第４反射面を設けたことを特徴とする請求項１ないし４のいずれか一項記載の電子機器の照明構造。
【請求項６】
前記反射部を互いに対向するように一対設け、これら反射部に、互いの反射部から反射された反射光を前記プリント基板の正面側に向かって反射させる第５反射面を設けたことを特徴とする請求項１ないし５のいずれか一項記載の電子機器の照明構造。
【請求項７】
前記反射部に前記プリント基板をねじ止めするためのスタッドを一体に設けたことを特徴とする請求項１ないし６のいずれか一項記載の電子機器の照明構造。
【請求項８】
前記プリント基板の光源が実装された実装面に、前記反射部から照射された反射光を前記プリント基板の正面側に向かって反射させる反射面を設けたことを特徴とする請求項１ないし７のいずれか一項記載の電子機器の照明構造。
【請求項９】
前記プリント基板を半透光性の化粧パネルで覆い、前記プリント基板の光源が実装された実装面に、前記反射部から照射された反射光を前記化粧パネル側に向かって反射させる反射面を設けたことを特徴とする請求項１ないし７のいずれか一項記載の電子機器の照明構造。
【発明の詳細な説明】
【技術分野】
【０００１】
本発明は、常夜灯として機能する光源を備えた電子機器の照明構造に関するものである。
【背景技術】
【０００２】
従来の電子機器の照明構造としては、プラスチックパネルの裏側にバックライトとして機能する多数の発光ダイオードを配設し、これら発光ダイオードによってプラスチックパネルに付された広告情報を照らし出すものがある（例えば、特許文献１参照）。
【特許文献１】特開平１０−３０１５１５号公報
【発明の開示】
【発明が解決しようとする課題】
【０００３】
上述した従来の電子機器の照明構造においては、発光ダイオードによって専ら電子機器の正面側の広告情報を照らし出す構造としており、発光ダイオードを常夜灯として機能させるために電子機器の左右または上下を照らし出す構造とはなっていなかった。このため、常夜灯として機能させるためには、発光ダイオードから照射された光の方向を反射板によって電子機器の左右または上下方向に変える必要があり、反射板を電子機器に取り付けるためのブラケットが必要になるため、部品点数が増加し構造も複雑になるという問題があった。
【０００４】
本発明は上記した従来の問題に鑑みなされたものであり、その目的とするところは、部品点数を増やすことなく構造も簡素化した電子機器の照明構造を提供するところにある。
【課題を解決するための手段】
【０００５】
この目的を達成するために、本発明は、一面に窓が形成された筺体と、この筺体の窓を覆うように取り付けられたプリント基板と、このプリント基板に実装された光源とを備えた電子機器の照明構造において、前記筺体の窓の周縁に、前記光源から照射される光の照射方向を変える反射部を一体に形成したものである。
【０００６】
本発明は、前記発明において、前記反射部に、光源から照射される光の照射方向を前記プリント基板を照射する方向に変える第１反射面を設けたものである。
【０００７】
本発明は、前記発明のいずれか一つの発明において、前記反射部に、光源から照射された光を前記第１反射面から照射された反射光と反対方向に反射する第２反射面を設けたものである。
【０００８】
本発明は、前記発明のいずれか一つの発明において、前記反射部に、光源から照射された光を前記プリント基板の光源を実装している実装面に沿って拡散させる第３反射面を設けたものである。
【０００９】
本発明は、前記発明のいずれか一つの発明において、前記反射部に、光源から照射された光を前記筺体の外側で前記プリント基板の光源を実装している実装面と同一面方向に拡散させる第４反射面を設けたものである。
【００１０】
本発明は、前記発明のいずれか一つの発明において、前記反射部を互いに対向するように一対設け、これら反射部に、互いの反射部から反射された反射光を前記プリント基板の正面側に向かって反射させる第５反射面を設けたものである。
【００１１】
本発明は、前記発明のいずれか一つの発明において、前記反射部に前記プリント基板をねじ止めするためのスタッドを一体に設けたものである。
【００１２】
本発明は、前記発明のいずれか一つの発明において、前記プリント基板の光源が実装された実装面に、前記反射部から照射された反射光を前記プリント基板の正面側に向かって反射させる反射面を設けたものである。
【００１３】
本発明は、前記発明のいずれか一つの発明において、前記プリント基板を半透光性の化粧パネルで覆い、前記プリント基板の光源が実装された実装面を、前記反射部から照射された反射光を前記化粧パネル側に向かって反射させる反射面としたものである。
【発明の効果】
【００１４】
本発明によれば、反射部が筺体に一体に設けられているため、部品点数を増やすことがなく構造も簡素化することができるとともに、プリント基板全体を均一に照明することができる。
【発明を実施するための最良の形態】
【００１５】
以下、本発明の実施の形態を図１ないし図４に基づいて説明する。図２に全体を符号１で示す電子機器は、互いに結合されることによって筺体２を形成するフロントケース３およびリアーケース４と、フロントケース３に固定されたカバー５と、カバー５に取り付けられた化粧パネル６と、常夜灯用ＬＥＤ７および非常灯用ＬＥＤ８が実装されたプリント基板９とから概ね構成されている。
【００１６】
フロントケース３は、枠状に形成された囲い壁１１と、図１に示すように正方形の窓１２ａが形成された前面板１２とによって構成され、前面板１２の上下には、図４に示すように断面コ字状に形成された一対の反射部１３，１３が互いに対向するように設けられている。
【００１７】
この反射部１３は、互いに対向するように窓１２ａの周縁から正面側に向かって一体に突設された一対の突設部１４，１４と、これら突設部１４，１４間を連結する連結部１５とによって形成されている。連結部１５の裏面には、図２に示すように断面が窓１２ａ側に向かって角度αに傾斜した第１反射面１５ａと、断面がフロントケース３の外側に向かって角度βに傾斜した第２反射面１５ｂとが形成されており、α＞βに設定されている。
【００１８】
反射部１３の突設部１４，１４は、図１に示すように断面が二等辺三角形に形成されており、窓１２ａ側に第３反射面１４ａが設けられ、窓１２ａと反対側に第４反射面１４ｂが設けられている。また、反射部１３の連結部１５の表面は、図２に示すように互いの反射部１３に向かって窓１２ａ側に角度γに傾斜し、第５反射面１５ｃを形成している。これら第１ないし第５反射面１５ａ，１５ｂ，１４ａ，１４ｂ，１５ｃは、フロントケース３自体を反射率の高い材料によって形成してもよいし、必要に応じて銀等の反射率の高いフィルム等によって覆うようにしてもよい。
【００１９】
図１において、１６は反射部１３の一方の突設部１４に一体に形成されたスタッドであって、図４に示すようにこのスタッド１６に螺合するねじ１７によってプリント基板９が窓１２ａの周縁の裏面側に窓１２ａを覆うように取り付けられる。プリント基板９が窓１２ａの周縁の裏面側に取り付けられると、８個の非常灯用ＬＥＤ８が窓１２ａから露呈し、２個の常夜灯用ＬＥＤ７のそれぞれが各反射部１３内に臨む。プリント基板９のこれらＬＥＤ７，８が実装された実装面全体には、白色印刷が施され、光を相対的により多く反射する反射面９ａが形成されている。
【００２０】
カバー５は半透光性のプラスチックによって有底角筒状に形成されており、筒部をフロントケース３の囲い壁１１に結合することによりフロントケース３に取り付けられ、プリント基板９を覆っている。化粧パネル６は半透光性である乳白色のプラスチックによって正方形に形成されており、カバー５の正面部の４隅に一体に突設されたスタッド６ａにねじ１９によって取り付けられている。
【００２１】
このような構成において、常夜灯用ＬＥＤ７から照射された光の一部Ｑ１は、図２に示すように反射部１３の第１反射面１５ａによって、プリント基板９に沿うように当該プリント基板９を照射する方向に向きを変えるため、この光Ｑ１によってプリント基板９全体が均一に照明される。また、この光Ｑ１は、プリント基板９の反射面９ａによって化粧パネル６側に反射し、化粧パネル６を照明するため化粧パネル６の美観を向上させることができる。
【００２２】
また、常夜灯用ＬＥＤ７から照射された光の一部Ｑ２は、図２に示すように反射部１３の第２反射面１５ｂによって、光Ｑ１と反対方向に反射され、フロントケース３の外側を照射する。このため、リアーケース４の背面部４ａを壁等に取り付け、電子機器１を壁に掛けたとき、この光Ｑ２によって電子機器１の外周縁が照らし出されるため、電子機器１を壁から浮き出させるように電子機器１の存在感をより一層向上させることができる。
【００２３】
また、常夜灯用ＬＥＤ７から照射された光の一部Ｑ３は、図１に示すように反射部１３の第３反射面１４ａによって、プリント基板９のＬＥＤ８を実装している実装面９ａに沿って拡散されるから、プリント基板９の実装面９ａが均一に照明される。また、プリント基板９の実装面９ａに沿って拡散された光Ｑ３の一部は、プリント基板９の反射面９ａによって化粧パネル６側に反射する。
【００２４】
また、常夜灯用ＬＥＤ７から照射された光の一部Ｑ４は、図１に示すように反射部１３の第４反射面１４ｂによって、フロントケース３の外側でプリント基板９のＬＥＤ８を実装している実装面９ａと同一面方向に拡散されるため、筐体２の外周縁を均一に照明することができる。
【００２５】
また、常夜灯用ＬＥＤ７から照射された光の一部Ｑ５が、図２に示すように互いに対向する反射部１３の第５反射面１５ｃに当たり、化粧パネル６側に反射するため、反射部１３が部分的に暗くなるようなことがないから、化粧パネル６側から視て外観を損なうようなことがない。
【００２６】
また、スタッド１６を反射部１３の一方の突設部１４に一体に形成したことにより、スタッド１４が図１において化粧パネル６側から視て反射部１３の一部として視認されるため、筺体２の正面側からの外観を損なうようなことがない。また、反射部１３がフロントケース３に一体に設けられているため、部品点数を増やすことなく構造も簡素化することができる。
【図面の簡単な説明】
【００２７】
【図１】本発明に係る電子機器において、化粧パネルとカバーとを取り除いた状態を示す正面図である。
【図２】図１におけるII-II 線断面図である。
【図３】図１におけるIII 矢視図である。
【図４】図１におけるIV-IV 線断面図である。
【符号の説明】
【００２８】
１…電子機器、２…筺体、３…フロントケース、４…リアーケース、５…カバー、６…化粧パネル、７…常夜灯用ＬＥＤ、８…非常灯用ＬＥＤ、９…プリント基板、１２ａ…窓、１３…反射部、１４ａ…第３反射面、１４ｂ…第４反射面、１５ａ…第１反射面、１５ｂ…第２反射面、１５ｃ…第５反射面、１６…スタッド。
【図１】
2010010032.tif 000003
【図２】
2010010032.tif 000004
【図３】
2010010032.tif 000005
【図４】
2010010032.tif 000006